(57)【要約】【課題】毛穴汚れの影響を排除してムラのない均一な光照射を可能とする光照射美容器具を提供すること。【解決手段】皮膚吸引部６を構成するカップ１８は、ハウジング２の軸線方向において光照射部５を構成する光照射用開口部１１よりも先端２ａ側に配置される。そして、そのヘッド４に設けられたカップ１８を使用者の皮膚Ｈに押し当てた状態で、軸線方向、基端２ｂ側から先端２ａ側に向かって皮膚表面上を移動させるように、ハウジング２の操作方向が設定される。【選択図】図１
2009189730.tif 000002
【特許請求の範囲】
【請求項１】
肌の美容を図るべく皮膚に対して光を照射する光照射手段と、
前記光照射手段による光照射に先立って、その光照射される部分の皮膚を吸引することにより前記皮膚の毛穴汚れを除去する除去手段と、を備えた光照射美容器具。
【請求項２】
請求項１に記載の光照射美容器具において、
前記除去手段及び光照射手段を収容するとともに、前記皮膚に押し当てられた状態で操作されることにより皮膚表面上を移動する器具本体を備え、
前記除去手段は、前記器具本体に設定された所定の操作方向に沿って、前記光照射手段よりも前記操作方向側に配置されること、を特徴とする光照射美容器具。
【請求項３】
請求項２に記載の光照射美容器具において、
前記所定の操作方向以外の前記器具本体の移動を規制する規制手段を備えること、
を特徴とする光照射美容器具。
【請求項４】
請求項１〜請求項３の何れか一項に記載の光照射美容器具において、
前記皮膚に対してミストを噴霧するミスト噴霧手段を備えること、
を特徴とする光照射美容器具。
【請求項５】
請求項１〜請求項４の何れか一項に記載の光照射美容器具において、
前記皮膚に対して超音波振動を与える超音波振動付与手段を備えること、
を特徴とする光照射美容器具。
【発明の詳細な説明】
【技術分野】
【０００１】
本発明は、皮膚に対して光を照射することにより美容効果を得る光照射美容器具に関するものである。
【背景技術】
【０００２】
従来、皮膚に対して光を照射し、その血行促進や新陳代謝の促進を図ることにより肌の美容効果を得ることを目的とした光照射美容器具がある。即ち、例えば、特許文献１に記載の光照射美容器具は、半導体レーザダイオードのレーザ光を集光レンズにより集光して皮膚面に照射する。そして、そのレーザ光照射のエネルギーによって、表皮及び真皮に散在する異常色素細胞の除去、及び皮脂の分泌促進を図ることにより、肌の美容を図る構成となっている。
【特許文献１】特開２０００−２０２０４５号公報
【発明の開示】
【発明が解決しようとする課題】
【０００３】
また、肌美容に関する大きな関心事としては、上記のような皮膚の健康に加えて、毛穴汚れの除去が挙げられる。このような毛穴汚れとしては、例えば、毛穴内部や出口付近に溜まった皮脂が空気中の汚れと混ざり合ってできる角栓等があり、その酸化が進むことで肌の黒ずみを引き起こすとともに、皮脂の排出を妨げることによってニキビの原因ともなりうる。加えて、上記光照射美容器具を使用する場合においても、その黒ずんだ毛穴汚れが光エネルギーを過剰に吸収することによって、皮膚に照射される光エネルギー量にムラができるという問題がある。
【０００４】
尚、従来技術として例示した上記特許文献１に記載の光照射美容器具は、そのレーザ光が照射される部分の皮膚を吸引するための吸引手段（コンプレッサ）を備えているが、このような毛穴汚れの除去に関しては特段の記述もないことから、その皮膚吸引の目的は、おそらくレーザ光の照射状態（距離）の安定化にあると推察される。また、仮に、その皮膚吸引により毛穴汚れの除去が可能であるとしても、レーザ光が照射される部分と吸引される部分とが同一であることから、当該除去された毛穴汚れが集光レンズに付着する等により、その均一な光照射が妨げられてしまうことになる。従って、この従来技術は、上記の課題を何らも解消するものではなく、この点において、なお改善の余地を残すものとなっていた。
【０００５】
本発明は、上記問題点を解決するためになされたものであって、その目的は、毛穴汚れの影響を排除してムラのない均一な光照射を可能とする光照射美容器具を提供することにある。
【課題を解決するための手段】
【０００６】
上記問題点を解決するために、請求項１に記載の発明は、肌の美容を図るべく皮膚に対して光を照射する光照射手段と、前記光照射手段による光照射に先立って、その光照射される部分の皮膚を吸引することにより前記皮膚の毛穴汚れを除去する除去手段と、を備えた光照射美容器具であること、を要旨とする。
【０００７】
上記構成によれば、毛穴汚れの存在に起因する光照射のムラを排除して効果的な美容処置を行なうことができる。また、汚れ除去後の毛穴は、文字通りの「毛穴が開いた状態」であり、非常に敏感であることから、できる限り速やかに美容処置が行なわれることが望ましい。この点においても、上記構成によれば、その汚れ除去後の毛穴について、即座に光照射によるケアを行なうことができる。そして、これら二つの美容処置が相乗的に作用し合うことにより、優れた美容効果を得ることができるようになる。
【０００８】
請求項２に記載の発明は、前記除去手段及び光照射手段を収容するとともに、前記皮膚に押し当てられた状態で操作されることにより皮膚表面上を移動する器具本体を備え、前記除去手段は、前記器具本体に設定された所定の操作方向に沿って、前記光照射手段よりも前記操作方向側に配置されること、を要旨とする。
【０００９】
上記構成によれば、一定時間の皮膚吸引と、所定の操作方向に器具本体を移動させる操作とを順次繰り返すことによって、容易且つ簡便に、その皮膚吸引された後の部分に光照射を行なう一連の美容処置を行なうことができる。
【００１０】
請求項３に記載の発明は、前記所定の操作方向以外の前記器具本体の移動を規制する規制手段を備えること、を要旨とする。
上記構成によれば、規制手段による規制（誘導）に従って器具本体を移動させるだけで、正確に、予め設定された所定の操作方向に操作することが可能になる。その結果、使用者による誤操作の発生を防止して、その皮膚に対する皮膚吸引、及びその後の光照射という一連の美容処置を、容易且つ簡便に、最適な手順で連続的して行なうことができるようになる。
【００１１】
請求項４に記載の発明は、前記皮膚に対してミストを噴霧するミスト噴霧手段を備えること、を要旨とする。
上記構成によれば、ミスト噴霧による皮膚への潤いの付与効果との相乗効果を期待することができる。特に、皮膚吸引に先立って、その部分の皮膚にミスト噴霧を行なうことで、その皮膚に噴霧されたミストによって当該皮膚と除去手段との間の隙間を無くして吸引力を高めることができる。その結果、より効果的に毛穴汚れを除去することができるようになる。更に、光照射に先立って、その部分の皮膚にミスト噴霧を行なうことで、当該皮膚に十分な潤いを与えた状態で光照射を行なうことができる。その結果、光照射による皮膚乾燥の進行を予防して、その美容処置の効果を一層高めることができるようになる。
【００１２】
請求項５に記載の発明は、前記皮膚に対して超音波振動を与える超音波振動付与手段を備えること、を要旨とする。
上記構成によれば、超音波振動の付与によるマッサージ効果との相乗効果が期待できる。特に、皮膚吸引に先立って、その部分に超音波振動を与えることで、毛穴汚れはもとより、皮膚上の老廃物等、皮膚全般についての汚れが落ちやすくなる。その結果、より一層の均一な光照射を可能として、その光照射による美容効果を更に高めることができるようになる。
【発明の効果】
【００１３】
本発明によれば、毛穴汚れの影響を排除してムラのない均一な光照射を可能とする光照射美容器具を提供することができる。
【発明を実施するための最良の形態】
【００１４】
（第１の実施形態）
以下、本発明を具体化した第１の実施形態を図面に従って説明する。
図１は、本実施形態における光照射美容器具の全体断面を模式的に示す概略構成図である。同図に示すように、本実施形態の光照射美容器具１は、所謂手持ち式の光照射美容器具であり、使用者が把握して操作できる程度の大きさに形成された略筒状のハウジング２を有している。そして、このハウジング２の外周には、使用者に把握される部分となる把握部３が形成されるとともに、その先端２ａには、同ハウジング２の軸線と略直交する方向に突出された略筒状のヘッド４が形成されている。
【００１５】
本実施形態では、このヘッド４には、肌の美容を図るべく使用者の皮膚に光を照射する光照射部５と、使用者の皮膚に吸引力を作用させることにより該皮膚の毛穴汚れを除去する除去手段としての皮膚吸引部６とが設けられている。また、ハウジング２内には、駆動電力の供給を通じてこれら光照射部５及び皮膚吸引部６の作動を制御する制御部７、及び電源部８が収容されている。尚、本実施形態では、ハウジング２内には、図示しない報知部が設けられ、ハウジング２の外周に形成された上記把握部３の近傍には、スイッチ９が形成されている。そして、本実施形態では、このスイッチ９が操作されることにより、上記制御部７による上記光照射部５及び皮膚吸引部６に対する駆動電力の供給、即ちその光照射及び皮膚吸引が開始される構成となっている。
【００１６】
詳述すると、本実施形態のヘッド４には、同ヘッド４の軸線に沿って延設された光照射用開口部１１が設けられるとともに、ハウジング２内には、その光照射用開口部１１に対応する位置に光源部１２が設けられている。本実施形態の光源部１２は、制御部７に駆動されることにより発光する光源１３と、上記光照射用開口部１１のハウジング２側の端部を閉塞する態様で配置された光透過性のカバー１４とにより構成されている。尚、本実施形態では、光源１３には、低出力の非コヒーカレント光を出力可能なものが用いられるとともに、カバー１４には、レンズ及び波長フィルタとしての機能が付与されている。そして、本実施形態の光照射部５は、上記光照射用開口部１１を介して光源部１２の照射光を外部出力することにより、ヘッド４の先端４ａと対向配置された使用者の皮膚Ｈに対して、上記肌美容のための光照射を行なうことが可能な構成となっている。
【００１７】
一方、皮膚吸引部６は、吸引力を発生するポンプ１７と、その吸引力を使用者の皮膚Ｈに作用させるためのカップ１８と、これらポンプ１７とカップ１８とを接続するチューブ１９とを備えてなる。カップ１８は、上記光照射用開口部１１に隣接する位置において、その開口端１８ａがヘッド４の先端４ａと略面一となる態様で同ヘッド４内に収容配置されている。また、ハウジング２内に収容されたポンプ１７は、制御部７に制御されることにより、上記チューブ１９を介してカップ１８内の空気を吸引する。即ち、本実施形態の皮膚吸引部６は、開口端１８ａに使用者の皮膚Ｈが押し当てられた状態で、カップ１８内を減圧することにより、その吸引力を当該使用者の皮膚Ｈに作用させる。そして、これより、そのカップ１８に押し当てられた部分における毛穴汚れを除去することが可能な構成となっている。
【００１８】
また、本実施形態では、上記皮膚吸引部６を構成するカップ１８は、ハウジング２の軸線方向（図１中、左右方向）において光照射部５を構成する光照射用開口部１１よりも先端２ａ側（同図中、左側）に配置されている。そして、本実施形態の光照射美容器具１では、そのヘッド４に設けられた上記カップ１８を使用者の皮膚Ｈに押し当てた状態で、ハウジング２の軸線方向、基端２ｂ側から先端２ａ側に向かって皮膚表面上を移動させるよう、その操作方向が設定されている。
【００１９】
つまり、本実施形態の光照射美容器具１では、作業者がハウジング２を把握し、その美容処置を行う部分の皮膚Ｈに皮膚吸引部６のカップ１８を押し当てて、スイッチ９を投入することにより、当該皮膚吸引部６による皮膚吸引、及び光照射部５による光照射が開始される。そして、一定時間の皮膚吸引を行なった後、予め設定された上記所定の操作方向にハウジング２を移動させることにより、当該皮膚吸引が行なわれた部分を次の光照射が行なわれる部分とすることが可能となっている。
【００２０】
以上、本実施形態の構成によれば、上記一定時間の皮膚吸引と所定の操作方向にハウジング２を移動させる操作とを順次繰り返すことによって、容易且つ簡便に、その皮膚吸引された後の部分に光照射を行なう一連の美容処置を行なうことができる。これにより、毛穴汚れの存在に起因する光照射のムラを排除して効果的な美容処置を行なうことができる。また、汚れ除去後の毛穴は、文字通りの「毛穴が開いた状態」であり、非常に敏感であることから、できる限り速やかに美容処置が行なわれることが望ましい。この点、本実施形態では、こうした汚れ除去後の毛穴についても、即座に光照射によるケアを行なうことができる。そして、これら二つの美容処置が相乗的に作用し合うことにより、優れた美容効果を得ることができるようになる。
【００２１】
（第２の実施形態）
以下、本発明を具体化した第２の実施形態を図面に従って説明する。尚、説明の便宜上、第１の実施形態と同一の部分については同一の符号を付すこととして、その説明を省略する。
【００２２】
図２は、本実施形態における光照射美容器具の主要部分の断面を模式的に示す概略構成図である。同図に示すように、本実施形態の光照射美容器具２１には、上記第１の実施形態における光照射美容器具１の構成に加えて、使用者の皮膚Ｈにミストを噴霧するためのミスト噴霧部２２が備えられている。
【００２３】
詳述すると、本実施形態のヘッド４には、ミスト流路２３が設けられており、その基端２３ａには、同ミスト流路２３にポンプ１７からの送風を導く送風チューブ２４が接続されている。図３に示すように、本実施形態では、ミスト流路２３の基端２３ａ及び送風チューブ２４の出口端２４ａは、それぞれ、その口径が徐々に小径となるようテーパ状に形成されている。そして、これらミスト流路２３及び送風チューブ２４の接続部には、当該接続部と略直交する態様で、ハウジング２内に設けられた水タンク２５から延びる給水チューブ２６が接続されている。
【００２４】
即ち、ポンプ１７の作動により送風チューブ２４内に送られた送風は、そのテーパ状に形成された出口端２４ａを通過することにより加速される。そして、それに伴いミスト流路２３及び送風チューブ２４との接続部に生ずる負圧、即ちベンチュリー効果により給水チューブ２６から吸い出された水がミストＭとなってミスト流路２３内を移動する。
【００２５】
図２に示すように、ミスト流路２３の先端には、ミスト吐出口２７が形成されており、ミスト流路２３内を移動したミストＭは、このミスト吐出口２７から吐出される。本実施形態では、このミスト吐出口２７は、上記皮膚吸引部６を構成するカップ１８と隣接する位置、詳しくは、ハウジング２の軸線方向（図２中、左右方向）において同カップ１８よりも先端２ａ側（同図中、左側）に配置されている。そして、上記第１の実施形態と同様、作業者がハウジング２を把握し、その美容処置を行う部分の皮膚Ｈに皮膚吸引部６のカップ１８を押し当てた状態でスイッチ９を投入することにより、上記皮膚吸引及び光照射と併せて、上記のように構成されたミスト噴霧部２２によるミスト噴霧が開始される。
【００２６】
つまり、本実施形態における光照射美容器具３１の使用に際しては、上記第１の実施形態と同様、一定時間の皮膚吸引を行なった後、その皮膚吸引部６のカップ１８を使用者の皮膚Ｈに押し当てつつ、所定の操作方向、即ちハウジング２の軸線方向、基端２ｂ側から先端２ａ側に向かって皮膚表面上を移動させる。そして、このような一定時間の皮膚吸引と所定の操作方向にハウジング２を移動させる操作とを順次繰り返すことにより、容易且つ簡便に、その皮膚吸引及び光照射に先立って、ミスト噴霧部２２によるミスト霧噴を行なうことが可能な構成となっている。
【００２７】
以上、本実施形態の構成によれば、ミスト噴霧による皮膚Ｈへの潤い付与効果との相乗効果を期待することができる。特に、皮膚吸引に先立って、その部分の皮膚Ｈにミスト噴霧を行なうことで、その皮膚Ｈに噴霧されたミストＭによって当該皮膚Ｈと皮膚吸引部６を構成するカップ１８との間の隙間を無くして吸引力を高めることができる（図４（ａ）（ｂ）参照）。その結果、より効果的に毛穴汚れを除去することができるようになる。更に、光照射に先立って、その部分の皮膚Ｈにミスト噴霧を行なうことで、当該皮膚Ｈに十分な潤いを与えた状態で光照射を行なうことができる。その結果、光照射による皮膚乾燥の進行を予防して、その美容処置の効果を一層高めることができるようになる。
【００２８】
（第３の実施形態）
以下、本発明を具体化した第３の実施形態を図面に従って説明する。尚、説明の便宜上、第２の実施形態と同一の部分については同一の符号を付すこととして、その説明を省略する。
【００２９】
図５は、本実施形態における光照射美容器具の主要部分の断面を模式的に示す概略構成図である。同図に示すように、本実施形態の光照射美容器具３１には、上記第２の実施形態における光照射美容器具２１の構成に加えて、使用者の皮膚Ｈに超音波振動を与える超音波振動部３２が備えられている。
【００３０】
超音波振動部３２は、制御部７から供給される駆動電力に基づき超音波振動を発生する超音波振動子３３と、その超音波振動を伝達するホーン３４とを備えてなる。尚、制御部７による超音波振動子３３への駆動電力の供給は、上記スイッチ９の操作により開始される。本実施形態では、超音波振動部３２は、上記ミスト噴霧部２２を構成するミスト吐出口２７と上記皮膚吸引部６を構成するカップ１８との間、詳しくはそのホーン３４の先端３４ａがヘッド４の先端４ａと略面一となる態様で同ヘッド４内に収容配置されている。そして、上記第１及び第２の実施形態と同様、作業者がハウジング２を把握し、その美容処置を行いたい部分の皮膚Ｈに皮膚吸引部６のカップ１８及び超音波振動部３２のホーン３４を押し当てた状態でスイッチ９を投入することにより、皮膚吸引、光照射、及びミスト噴霧と併せて、上記超音波振動部３２による超音波振動の付与が開始される。
【００３１】
つまり、本実施形態における光照射美容器具３１の使用に際しては、上記第１及び第２の実施形態と同様、一定時間の皮膚吸引を行なった後、皮膚吸引部６のカップ１８及び超音波振動部３２のホーン３４を使用者の皮膚Ｈに押し当てつつ、その所定の操作方向、即ちハウジング２の軸線方向、基端２ｂ側から先端２ａ側に向かって皮膚表面上を移動させる。そして、このような一定時間の皮膚吸引と所定の操作方向にハウジング２を移動させる操作とを順次繰り返すことにより、容易且つ簡便に、その皮膚吸引及び光照射に先立って、超音波振動部３２による超音波振動の付与を行なうことが可能な構成となっている。
【００３２】
以上、本実施形態の構成によれば、超音波振動の付与によるマッサージ効果との相乗効果が期待できる。特に、皮膚吸引に先立って、その部分に超音波振動を与えることで、毛穴汚れはもとより、皮膚上の老廃物等、皮膚Ｈ全般についての汚れが落ちやすくなる。その結果、より一層の均一な光照射を可能として、その光照射による美容効果を更に高めることができるようになる。
【００３３】
（第４の実施形態）
以下、本発明を具体化した第３の実施形態を図面に従って説明する。尚、説明の便宜上、第３の実施形態と同一の部分については同一の符号を付すこととして、その説明を省略する。
【００３４】
図６は、本実施形態における光照射美容器具の主要部分の外観を示す側面図、そして、図７は、その正面図である。図６及び図７に示すように、本実施形態の光照射美容器具４１には、上記第３の実施形態における光照射美容器具３１の構成に加えて、予め設定された所定の操作方向以外のハウジング２（及びヘッド４）の移動を規制する移動方向規制装置４２が備えられている。
【００３５】
詳述すると、本実施形態では、ヘッド４には、同ヘッド４を幅方向（図７中、左右方向）に貫通する回転軸４３が設けられている。この回転軸４３の両端には、一対の補助輪４４が設けられており、これらの各補助輪４４は、その一部がヘッド４の先端４ａから突出する態様で同ヘッド４の側方に配置されている。そして、ハウジング２（ヘッド４）が使用者の皮膚Ｈに押し当てられつつ軸線方向に移動する場合には、その移動に伴い各補助輪４４が回転するとともに、軸線方向以外のハウジング２の移動については、これら各補助輪４４の突出部分が障害となることで、これを規制する構成となっている。
【００３６】
また、本実施形態では、これらの各補助輪４４には、その回転方向を一方向に規制する回転規制機構４５が組み込まれている。具体的には、各補助輪４４には、その内側の面（ヘッド４の側面４ｂに対向する面）４４ａに固定されることにより該各補助輪４４と一体回転するギヤ４６が設けられるとともに、同ギヤ４６には、ヘッド４の側面４ｂに突設された軸ピン４７を回動軸とするストッパ４８の先端が係止されている。本実施形態のストッパ４８は、同ストッパ４８及び上記回転軸４３に掛止された引っ張りバネ４９の弾性力によって、その先端がギヤ４６側に回動する方向に付勢されている。そして、本実施形態では、これら各ギヤ４６、ストッパ４８、及び引っ張りバネ４９により、回転規制機構４５が構成されている。
【００３７】
さらに詳述すると、本実施形態では、ギヤ４６の歯面は、ハウジング２が上記所定の操作方向（軸線方向、先端２ａ側）に移動した場合において、その回転方向側となる面（図６中、反時計回り方向の面）４６ａが緩やかな斜面となっている。一方、これに対し、ハウジング２が反所定の操作方向に移動した場合に、その回転方向側となる面（同図中、時計回り方向の面）４６ｂは急峻な斜面となっている。そして、上記ストッパ４８の先端に設けられた係止爪４８ａの形状もまた、このようなギヤ４６の歯面に合わせた形状、即ちその谷の部分に噛合する形状となっている。
【００３８】
つまり、予め設定された所定の操作方向にハウジング２が移動する場合には、そのギヤ４６に係止されたストッパ４８の係止爪４８ａを押し上げつつ、各補助輪４４が回転することで、その所定の操作方向へのハウジング２の移動が許容される。一方、反所定の操作方向にハウジング２が移動しようとした場合には、そのギヤ４６に係止されたストッパ４８の係止爪４８ａが、その歯面、詳しくは急峻な斜面となるように形成された側の面４６ｂに衝突することで、各補助輪４４の回転が規制され、その反所定方向へのハウジング２に移動が規制される。
【００３９】
そして、このように構成された移動方向規制装置４２、即ち各補助輪４４によりハウジング２の移動方向をその軸線方向に限定するとともに、当該各補助輪４４の回転方向を回転規制機構４５によって一方向に限定することにより、その予め設定された操作方向以外の移動を規制する構成となっている。
【００４０】
以上、本実施形態の構成によれば、移動方向規制装置４２による規制（誘導）に従ってハウジング２を移動させるだけで、正確に、予め設定された所定の操作方向に操作することが可能になる。その結果、使用者による誤操作の発生を防止して、その皮膚Ｈに対するミストの噴霧、超音波振動の付与、皮膚吸引及び光照射という一連の美容処置を、容易且つ簡便に、最適な手順で連続的して行なうことができるようになる。加えて、各補助輪４４の存在により、皮膚Ｈの表面上においてハウジング２を移動させる操作を容易なものとすることができる。
【００４１】
なお、上記各実施形態は以下のように変更してもよい。
・上記各実施形態では、器具本体としてのハウジング２の軸線方向、基端２ｂ側から先端２ａ側に向かう方向を所定の操作方向と設定したが、必ずしもこれに限るものではない。尚、所定の操作方向を変更した場合には、その操作方向の変更に合わせて、光照射手段としての光照射部５、除去手段としての皮膚吸引部６、ミスト噴霧手段としてのミスト噴霧部２２、及び超音波振動付与手段としての超音波振動部３２の配置を変更するとよい。
【００４２】
・上記第２の実施形態では、ミスト噴霧部２２のミスト吐出口２７は、ハウジング２の軸線方向において皮膚吸引部６のカップ１８よりも先端２ａ側に配置され、上記第３の実施形態では、超音波振動部３２のホーン３４は、ミスト噴霧部２２のミスト吐出口２７と皮膚吸引部６のカップ１８との間に配置されることとした。しかしながら、これらのミスト噴霧及び超音波振動の付与は、その手順に関わらず光照射によって美容効果との相乗効果が期待できる。従って、ミスト噴霧部２２及び超音波振動部３２の配置は、このような上記第２の実施形態及び第３の実施形態に例示するものに限らない。尚、これらミスト噴霧及び超音波振動の付与は、好ましくはその光照射に先立って行なわれることが望ましく、より好ましくはその皮膚吸引に先立って行なわれることが望ましい。
【００４３】
・上記第３の実施形態は、上記第２の実施形態の構成を基礎としたが、上記第１の実施形態の構成を基礎とするものに変更してもよい。即ち、光照射手段及び除去手段に超音波振動付与手段を組み合わせた構成としてもよい。
【００４４】
・同様に、上記第４の実施形態は、上記第３の実施形態の構成を基礎としたが、上記第１の実施形態又は上記第２の実施形態の構成を基礎とするものに変更してもよい。即ち、光照射手段及び除去手段に規制手段（移動方向規制装置４２）を組み合わせた構成としてもよく、光照射手段、除去手段及びミスト噴霧手段に規制手段を組み合わせた構成としてもよい。そして、更には、光照射手段、除去手段及び超音波振動付与手段に規制手段を組み合わせた構成としてもよい。
【００４５】
・上記第４の実施形態では、補助輪４４と該補助輪４４の回転方向を一方向に規制する回転規制機構４５（ギヤ４６、ストッパ４８及び引っ張りバネ４９）とにより、規制手段としての移動方向規制装置４２を形成した。しかし、これに限らず、その他の構成により規制手段は形成してもよい。
【００４６】
・また、ストッパ４８をギヤ側に付勢する付勢手段には、引っ張りバネ４９以外の弾性部材を用いる構成としてもよい。
・上記各実施形態では、スイッチ９を操作することにより、美容処置を行なう各手段（光照射部５、皮膚吸引部６、ミスト噴霧部２２及び超音波振動部３２）が作動する構成としたが、これらの各手段の作動については、その個別操作を可能とする等、特に限定するものではない。
【図面の簡単な説明】
【００４７】
【図１】第１の実施形態における光照射美容器具の全体断面を模式的に示す概略構成図。
【図２】第２の実施形態における光照射美容器具の主要部分の断面を模式的に示す概略構成図。
【図３】ミスト噴霧部の概略構成図。
【図４】（ａ）（ｂ）ミスト噴霧の効用を示す説明図。
【図５】第３の実施形態における光照射美容器具の主要部分の断面を模式的に示す概略構成図。
【図６】第４の実施形態における光照射美容器具の主要部分の外観を示す側面図。
【図７】第４の実施形態における光照射美容器具の主要部分の外観を示す正面図。
【符号の説明】
【００４８】
１，２１，３１，４１…光照射美容器具、２…ハウジング、４…ヘッド、５…光照射部、６…皮膚吸引部、１１…光照射用開口部、１２…光源部、１７…ポンプ、１８…カップ、２２…ミスト噴霧部、２３…ミスト流路、２４…送風チューブ、２５…水タンク、２６…給水チューブ、３２…超音波振動部、３３…超音波振動子、３４…ホーン、４２…移動方向規制装置、４３…回転軸、４４…補助輪、４５…回転規制機構、４６…ギヤ、４８…ストッパ、４９…引っ張りバネ。
【図１】
2009189730.tif 000003
【図２】
2009189730.tif 000004
【図３】
2009189730.tif 000005
【図４】
2009189730.tif 000006
【図５】
2009189730.tif 000007
【図６】
2009189730.tif 000008
【図７】
2009189730.tif 000009